(57)【要約】【課題】モニタ部のスライド動作に連動してモニタの表示領域を変動させる。【解決手段】略矩形状に形成された装置本体２と、撮像レンズ６２及び撮像素子を有し、画像情報を取り込む撮像部６と、装置本体２の長手方向に沿ってスライド可能に設けられ、各種情報を表示するモニタ７と、装置本体２の長手方向に沿って形成されモニタ７をスライド可能に係合するガイド溝２５と、ガイド溝２５に係合されたモニタ７のスライド位置に応じてモニタ７を装置本体２の長手方向の一端側又は他端側に付勢する付勢部材４２とを有する回動支持部材２１とを備え、モニタ７は、装置本体２の内側にスライドされるとモニタ７の一部が装置本体２より外部に臨まされて当該一部領域に各種情報が表示され、装置本体２の外側にスライドされるとモニタ７の全領域が装置本体２より外部に臨まされて当該全領域に各種情報が表示される。【選択図】図１０
2006074262.tif 000002
【特許請求の範囲】
【請求項１】
略矩形状に形成された装置本体と、
音声情報が入力される入力部と、
録音された音声情報を出力する出力部と、
撮像レンズ及び撮像素子を有し、画像情報を取り込む撮像部と、
上記装置本体の長手方向に沿ってスライド可能に設けられ、各種情報を表示するモニタと、
上記装置本体の長手方向に沿って形成され上記モニタをスライド可能に係合するガイド溝と、該ガイド溝に係合された上記モニタのスライド位置に応じて該モニタを上記装置本体の長手方向の一端側又は他端側に付勢する付勢部材とを有する回動支持部材とを備え、
上記モニタは、上記装置本体の内側にスライドされると上記モニタの一部が上記装置本体より外部に臨まされて当該一部領域に各種情報が表示され、上記装置本体の外側にスライドされると上記モニタの全領域が上記装置本体より外部に臨まされて当該全領域に各種情報が表示される記録再生装置。
【発明の詳細な説明】
【技術分野】
【０００１】
本発明は、記録媒体が収納され、音声情報の録音及び再生が可能な記録再生装置に関し、さらに、音声情報に加え、映像情報の記録及び再生を行うことができる記録再生装置に関する。
【背景技術】
【０００２】
従来より、半導体メモリ等の記録媒体を内蔵し、音声情報の録音及び再生が可能な携帯用ＩＣレコーダが広く用いられている。このようなＩＣレコーダにおいては、記録容量が増加していく一方で、録音した音声情報が増加するに伴い、録音された音声情報の内容を把握することが困難となり、必要な音声情報の再生が困難となっていた。また、必要な音声情報の再生を早急に行うためには、使用者が別途録音した音声情報のメモを取ったり、録音した音声情報にファイル名等の入力が必要とされていた。
【０００３】
このような問題を解消するために、ＩＣレコーダに映像を撮像する撮像レンズと、この撮像レンズにより取り込まれた映像を表示するモニタとを備え、音声情報の録音時の画像を撮像し記録することで、録音した音声情報の目印とするいわゆるしおり的機能を備えることができれば使い勝手が向上し、便利である。このモニタ部には、録音時には音声情報の録音された時間、音声情報の記録可能な残量、時間等の各種情報に加え、撮像レンズに取り込まれた画像を表示したり、撮像可能枚数等の情報を表示させることが考えられる。
【０００４】
また、この種のレンズとモニタとからなるカメラ部を備えたＩＣレコーダにおいては、音声情報のみを録音するときや、このＩＣレコーダの未使用時には、モニタを保護するため、また携帯時の装置全体のサイズを小さくするためにもカメラ部が装置本体内に収納されることが望ましい。
【０００５】
ここで、モニタ部に表示される音声情報の録音時間、音声情報の録音可能残量、映像情報等の各種情報は、例えば、切り換え釦等を操作することにより切り換えることが可能であるが、例えば、音声情報の録音時に該音声情報に関連した映像情報を撮像する場合、カメラ部の操作に加え、モニタ部の表示を撮像情報に切り換えるために切り換え釦等を操作するのは、手間がかかり、操作性、利便性に欠ける。
【０００６】
【特許文献１】特開平１１−１８７２９２号公報
【発明の開示】
【発明が解決しようとする課題】
【０００７】
そこで、本発明は、モニタ部のスライド動作に連動してモニタの表示領域、内容が変動する記録再生装置を提供することを目的とする。
【課題を解決するための手段】
【０００８】
上述した課題を解決するために、本発明にかかる記録再生装置は、略矩形状に形成された装置本体と、音声情報が入力される入力部と、録音された音声情報を出力する出力部と、撮像レンズ及び撮像素子を有し、画像情報を取り込む撮像部と、上記装置本体の長手方向に沿ってスライド可能に設けられ、各種情報を表示するモニタと、上記装置本体の長手方向に沿って形成され上記モニタをスライド可能に係合するガイド溝と、該ガイド溝に係合された上記モニタのスライド位置に応じて該モニタを上記装置本体の長手方向の一端側又は他端側に付勢する付勢部材とを有する回動支持部材とを備え、上記モニタは、上記装置本体の一端側にスライドされると上記モニタの一部が上記装置本体より外部に臨まされて当該一部領域に各種情報が表示され、上記装置本体の他端側にスライドされると上記モニタの全領域が上記装置本体より外部に臨まされて当該全領域に各種情報が表示されるものである。
【発明の効果】
【０００９】
本発明にかかる記録再生装置によれば、モニタは、装置本体の内側に収納されると装置本体より外部に臨まされている一部領域に音声情報の録音や再生等に必要な情報が表示され、装置本体の外側にスライドされると装置本体より外部に臨まされた全領域に撮像に必要な情報が表示されると共に、音声情報の録音や再生等に必要な情報が当該全領域の下端側に移動して表示され、主に撮像用のモニタに切り換えられる。
【００１０】
従って、本発明にかかる記録再生装置は、多機能化に応じて装置本体の形態が変化すると、これに連動して用いられる機能に最適なモニタの表示領域に最適な情報を表示させることができ、表示切り換え釦等の設置、操作等をすることなく、操作性、利便性を向上させることができる。
【発明を実施するための最良の形態】
【００１１】
以下、本発明が適用された記録再生装置について、図面を参照しながら詳細に説明する。本発明が適用された記録再生装置１は、図１及び図２に示すように、略矩形状に形成された装置本体２を有し、この装置本体２に集音マイク及び音声情報を記憶するＩＣチップが内蔵されたいわゆるＩＣレコーダである。この記録再生装置１は、ユーザによって片手で把持され、装置本体２の主面部２ａや側面部２ｂに配設された操作釦群４が操作されることによって音声情報を録音し、また装置本体２の下面部２ｃに設けられたヘッドホンジャック５にヘッドホンのプラグを差し込むことにより、音声情報が出力される。
【００１２】
また、本発明が適用された記録再生装置１は、装置本体２の上方に撮像レンズ及び撮像素子が内蔵されたカメラユニット６と、画像情報及び文字情報が表示される液晶モニタ７とを備え、図２に示すように、装置本体２の長手方向にスライド可能に組み込まれた可動ブロック３を備える。そして記録再生装置１は、可動ブロック３のカメラユニット６を用いて録音と同時に、静止画を撮像することができ、ある音声情報を録音した時の状態を当該音声と関連付けて記録しておくことができる。この撮像画面は、液晶モニタ７に表示されることにより後に撮像時の音声情報を検索、再生する際のインデックスとして用いることができる。
【００１３】
このような記録再生装置１の装置本体２は、図３に示すように、上下ハーフ１０，１１と、この上下ハーフ１０，１１に挟持され装置本体２の側面部２ｂを構成する外装フレーム１２とを備える。また、装置本体２は、各種電子機器が実装され、また各種電子回路が形成された配線基板群１３と、これら配線基板群１３が組み付けられているメインフレーム１４及びサブフレーム１５を有し、このメインフレーム１４に上下ハーフ１０，１１及び外装フレーム１２が接続されている。
【００１４】
上下ハーフ１０，１１は、略矩形状に成形された金属板からなり、中央部分が平坦化されるとともに外周部に傾斜面が形成されている。この上下ハーフ１０，１１は、外装フレーム１２、メインフレーム１４及び配線基板群１３とネジ止めされるためのネジ孔が設けられた接続片１６が複数立設されている。また上ハーフ１０は、略中央部に録音釦や後述するカメラユニット６を操作するシャッタ釦を外方に臨ませる開口部１７が穿設され、また上方には後述する液晶モニタ７の一部又は全部を外方に臨ませる方形の切欠き部１８が形成されている。
【００１５】
この上下ハーフ１０，１１に挟持される外装フレーム１２は、略Ｕ字状に折り曲げ成型された金属板からなり、上下ハーフ１０，１１に挟持されることにより装置本体２の側面部２ｂ及び下面部２ｃを構成するものであり、ユーザによる装置本体２の把持部となる。この外装フレーム１２は、側面部２ｂに装置本体２の操作釦群４を外方に臨ませる操作釦用開口部１９が形成されている。
【００１６】
また外装フレーム１２は、下面部２ｃの中央部にヘッドホンジャック５を外方に臨ませるヘッドホン用開口部２０ａが形成され、下面部２ｃと側面部２ｂとのコーナ部に装置本体２を携帯するためのストラップが取り付けられるストラップ用開口部２０ｂが形成されている。すなわち、装置本体２にヘッドホンと携帯用ストラップが同時に装着されたときにも、ヘッドホン用開口部２０ａとストラップ用開口部２０ｂとが装置本体２の下面部２ｃの略中央とコーナ部とに離間して形成されているため、それぞれ絡み合うことが防止され装置本体２の取り扱いが容易となる。また、装置本体２の下面部２ｃにヘッドホン用開口部２０ａ及びストラップ用開口部２０ｂとが形成されることにより、首からストラップをかけて記録再生装置１を携帯している状態で、主面部２ａを操作者側に向けて装置本体２を把持すると、録音釦８ａやシャッタ釦８ｂ等の操作釦群４に自然と指が位置されるため、装置本体２の把持動作と連動して録音又は撮像操作を行うことができ、操作を急いで録音や撮像を行うときにも容易に対応することができる。なお外装フレーム１２は、メインフレーム１４や配線基板群１３とネジ止めされるネジ孔が設けられた接続片が立設されている。また、外装フレーム１２の下面部２ｃにはヘッドホンジャック５と並んでマイクジャック４０が設けられている。
【００１７】
装置本体２の内部空間に組み付けられるメインフレーム１４は、例えばマグネシウムダイキャストによる金属フレームであり、上下ハーフ１０，１１及び外装フレーム１２が内部からネジ止めされている。またメインフレーム１４は、後述する可動ブロック３をスライド可能に係合するシャーシ２１がネジ止めされている。
【００１８】
このメインフレーム１４及びサブフレーム１５に組み付けられる配線基板群１３は、ＣＰＵや集音マイク、操作釦群４等が実装されたメイン基板や、カメラユニット６を駆動制御するカメラユニット用基板、液晶モニタ７とを駆動制御させるＬＣＤ基板等を備える。これら配線基板群１３は、可動ブロック３に設けられたカメラユニット６や液晶モニタ７とフレキシブル配線板を介して接続されている。
【００１９】
これら配線基板群１３に設けられた操作釦群４は、図１に示すように、主に装置本体２の主面部２ａ及び側面部２ｂに臨まされる。このうち装置本体２の主面部２ａには、音声情報の録音を開始する録音釦８ａと、カメラユニット６による画像記録を行うシャッタ釦８ｂとが配設されてる。これら録音釦８ａ及びシャッタ釦８ｂは、装置本体２の主面２ａに配設されることにより、ユーザが把持したときに指が自然と位置され、急な録音、撮像のタイミングにも容易に対応することができる。
【００２０】
また、装置本体２の側面部２ｂには、早送りや早戻し、スキップ等を行う多方向スイッチ９ａや、操作停止釦９ｂ、音量調節釦９ｃ等が設けられている。このうち、多方向スイッチ９ａは、図４に示すように、４方向への傾斜操作及びプッシュ操作可能なステム１０１と、ステム１０１を傾斜操作及びプッシュ操作自在に支持する図示しない支持機構及び端子が内蔵されたハウジング１０２と、ステム１０１を被覆する合成樹脂製のキートップ１０３とを備える。そして、多方向スイッチ９ａは、キートップ１０３上よりステム１０１が傾斜操作又はプッシュ操作されることにより早送りや早戻し、液晶モニタ７の表示切り換え等の操作を行うことができる。
【００２１】
このような記録再生装置１は、装置本体２の側面部２ｂに設けられることにより、装置本体２をユーザが把持したときに指が自然と位置されるとともに、多方向スイッチ９ａを用いることによりキートップ１０３の傾斜又はプッシュ操作によって複数の操作を行うことができ、操作のための指の動作ストロークを小さくしてユーザの使い勝手が向上されている。
【００２２】
次いで、メインフレーム１４に接続されるシャーシ２１と、このシャーシ２１を介して接続される可動ブロック３について説明する。先ず、シャーシ２１は、可動ブロック３を装置本体２の長手方向にスライド自在に係合させるものであり、図５及び図６に示すように、相対向する側壁部２２，２３と、この側壁部２２，２３の間に架け渡される連結部２４とを有し略コ字状に形成されている。各側壁部２２，２３は、可動ブロック３側に設けられた摺動板３０が摺動されるものであり、これら摺動板３０のスライドをガイドするスライドガイド溝２５と、摺動板３０側に設けられたスライドガイド溝３１に係合する円盤状のコロ２６が回転自在に設けられている。また側壁部２２，２３は、上縁部及び下縁部に摺動板３０の摺動方向に沿って摺動板３０を支持する上下支持壁２７，２８が形成されている。
【００２３】
このシャーシ２１は、装置本体２に組み込まれたときに側壁部２２，２３が装置本体２の長手方向に亘って装置本体２の主面部２ａ側から背面部２ｄ側に湾曲して形成され、側壁部２２，２３に形成されているスライドガイド溝２５も同様に湾曲して形成されている。このスライドガイド溝２５は、可動ブロック３を装置本体２内にスライドさせる下端側の曲率が大きく形成されている。したがって、可動ブロック３が装置本体２内にスライドされると、可動ブロック３は回動支点が装置本体２の背面部２ｄ側に移動するような円弧を描くようにスライドされる。これにより装置本体２は、可動ブロック３の液晶モニタ７等の構成部材が装置本体２の背面部２ｄ側に傾斜して収納され、主面部２ａとの間に録音釦８ａ及びシャッタ釦８ｂ、これらの操作回路が形成された配線基板等の操作部材の配置スペースを確保することができる。詳しくは後述する。
【００２４】
また、側壁部２２，２３に設けられたコロ２６は、側壁部２２，２３にビス２９によって回転自在に接続されている。このコロ２６が摺動板３０に形成されたスライドガイド溝３１を転動することにより、シャーシ２１と摺動板３０とのスライドをスムーズに行うことができる。
【００２５】
シャーシ２１にスライド自在に係合された摺動板３０は、可動ブロック３と接続されることにより、可動ブロック３を装置本体２に対して上下方向にスライドさせるものである。この摺動板３０は、矩形板状に形成された金属板からなり、シャーシ２１の側壁部２２，２３に対応して一対設けられている。摺動板３０にはシャーシ２１の側壁部２２，２３に回転自在に形成されたコロ２６が転動するスライドガイド溝３１と、シャーシ２１の側壁部２２，２３に形成されたスライドガイド溝２５を転動するコロ３２を備える。スライドガイド溝３１は、シャーシ２１の側壁部２２，２３に形成されたスライドガイド溝２５と同一の曲率で湾曲されている。また、コロ３２は、ビス３３によって回転自在に摺動板３０に接続されている。
【００２６】
また摺動板３０には、相対向する内側面部３０ａに、一対の摺動板３０を連結する連結板３４を係合する係合凹部３５が形成されている。係合凹部３５には、連結板３４の長手方向の両端部より突設された係合突部３６が係合される。
【００２７】
摺動板３０を連結する連結板３４は、長手方向の略中間部に、摺動板３０のスライド方向に延設されたガイド部３７が形成されている。ガイド部３７は長手方向に亘って摺動板３０のスライドをガイドするガイド溝３８が設けられ、このガイド溝３８を介してガイドピン３９が移動自在に挿通されてシャーシ２１の連結部２４と連結されている。また、連結板３４は、ガイド部３７を挟んだ両側に、捻りコイルバネ４２の一端が係止される係止孔４１が穿設されている。係止孔４１には捻りコイルバネ４２の一端に形成された環状の係止部４２ａを挿通したビス４３が挿通されている。この捻りコイルバネ４２は、他端に形成された環状の係止部４２ｂが、シャーシ２１の連結部２４の両側に穿設された係止孔２４ａにビス４４によって係止されている。捻りコイルバネ４２は、摺動板３０及び連結板３４のスライド位置に応じて付勢方向が反転し、可動ブロック３を装置本体２の上方に突出させ、また装置本体２内に収納させる。
【００２８】
以上のようなシャーシ２１及び一対の摺動板３０は、シャーシ２１の側壁部２２，２３に設けられた上下支持壁２７，２８間に摺動板３０が支持されるとともに、シャーシ２１形成されたスライドガイド溝２５に摺動板３０に形成されたコロ３２が転動自在に係合し、且つ、摺動板３０に形成されたスライドガイド溝３１にシャーシ２１に形成されたコロ２６が転動自在に係合される。これにより摺動板３０及び一対の摺動板３０間に連結された連結板３４は、コロ３２がスライドガイド溝２５にガイドされてスライド可能とされる。このとき、摺動板３０に形成されたスライドガイド溝３１にシャーシ２１に形成されたコロ２６が転動することにより摺動摩擦が殆どなくなり、抵抗感なくスライドされる。なお、摺動板３０は、連結板３４のガイド部３７に形成されたガイド溝３８を、シャーシ２１の連結部２４に挿通されたガイドピン３９が移動することによても、スライドをガイドされる。
【００２９】
この摺動板３０及び連結板３４には、可動ブロック３が接続され、摺動板３０がシャーシ２１をスライドすることにより摺動板３０を装置本体２の長手方向に亘ってスライドさせる。この可動ブロック３は、図７に示すように、円筒形のユニット本体に撮像レンズ及び撮像素子が内蔵されたカメラユニット６と、カメラユニット６を回転自在に支持する回転支持機構５０と、カメラユニット６を支持するとともに撮像レンズを保護するカバー部材５１と、録音、再生等に必要な情報や画像等を表示する液晶モニタ７と、液晶モニタ７を保護する液晶保護カバー５２と、液晶モニタ７のカバーガラス５３と、カメラユニット６及び液晶モニタ７が取り付けられる可動シャーシ５４と、カメラユニット６及び液晶モニタ７の駆動回路等が形成された配線基板５５と、可動ブロック３の背面側を覆う化粧板５６とを備える。
【００３０】
カメラユニット６は、図７乃至図９に示すように、円筒形状のユニット本体６１内に画像情報を取り込む撮像レンズ６２と、撮像レンズ６２より取り込まれた画像を電気信号に変換するＣＣＤ素子やＣＭＯＳセンサ等の図示しない撮像素子と、撮像素子を配線基板５５等に形成された駆動回路に接続するフレキシブル配線基板６３とを有する。ユニット本体６１は、外周面に撮像レンズ６２を外方に臨ませるレンズ開口６４が形成され、回転支持機構５０に左右両側面６５，６６を支持されることにより、このレンズ開口６４を外周面の周回り方向である図７中矢印Ｒ方向及び反矢印Ｒ方向に所定の回転角度内において回転可能とされている。なお、レンズ開口６４及び撮像レンズ６２は、ユニット本体６１の外周面の一側面側に偏倚した位置に設けることにより、ユニット本体６１を回転操作するユーザの指がレンズ開口６４に直接触れることによる撮像レンズ６２への汚れの付着を防止することができる。またユニット本体６１の左右両側面６５，６６は、回転支持機構５０の支持ピン７６が挿通される挿通孔６５ａ、６６ａが中央部に形成されている。また、右側面６６は、回転支持機構５０のクリック板７１に係止される係止凹部６７が形成されている。
【００３１】
係るカメラユニット６は、回転支持機構５０に回転自在に支持されることにより、外周面の周回り方向に回転可能とされ、外周面にユーザの指が掛けられることにより回転操作される。具体的に、カメラユニット６は、撮像時にはレンズ開口６４が外方に臨むように回転されて画像が取り込まれ、カメラユニット６の不使用時にはユニット本体６１の下側に設けられたカバー部材５１の内側へレンズ開口６４が回転されて撮像レンズ６２を保護することができる。なお、ユニット本体６１の外周面には、レンズ開口６４と離間した例えば反対側の面にユーザの指を掛ける指掛け凹部や小さな凹凸からなる指掛け部を形成し、カメラユニット６を回転しやすくするようにしてもよい。
【００３２】
また、カメラユニット６は、ユニット本体６１が回転されると後述する回転支持機構５０によって回転角度が検出され、この回転角度に応じて装置本体２の操作モードが変更される。
【００３３】
回転支持機構５０は、カメラユニット６を回転自在に支持するとともに、ユニット本体６１の回転角度を検出し、回転角度に応じた操作モードの変更の切り換えと、この回転角度に応じてクリック感を与えて装置本体２の操作モードの変更を感覚的に実行させるためのものである。この回転支持機構５０は、図７乃至図９に示すように、カメラユニット６のユニット本体６１とともに回転されるクリック板７１と、クリック板７１にクリック感を与える板バネ７２と、後述する可動シャーシと接続される固定板７３と、回転角度を検出し操作モードの変更スイッチを操作する操作カム部材７４と、操作カム部材７４によって操作される検出スイッチ部材７５と、これら各部材を挿通しユニット本体６１に軸支させるとともにユニット本体６１を回転可能に支持する支持ピン７６とを備える。
【００３４】
クリック板７１は、中央部に支持ピン７６の挿通孔７１ａが形成された略円形板状の金属板からなる。クリック板７１は、外周面に、ユニット本体６１の右側面６６に形成された係止凹部６７に係止される係止片８１が折り曲げ形成され、この係止片８１が係止凹部６７に係止されることにより、ユニット本体６１とともに回転される。また、クリック板７１は、ユニット本体６１と反対側に板バネ７２に形成された突部８４が係合するクリック孔８２が所定箇所に複数穿設されている。したがって、クリック板７１は、ユニット本体６１とともに回転されると、回転角度に応じて装置本体２の操作モードが変更されると共に、この回転角度に応じて穿設されたクリック孔８２に板バネ７２の突部８４が係止しクリック感を与えることができる。回転角度に対応した操作モードの変更については後述する。
【００３５】
板バネ７２は、弾性を有する円形の金属板からなり、クリック板７１と対向する面にクリック孔８２に係止される突部８４が形成されている。また、板バネ７２は、外周部に固定板７３に形成された係止溝８７と係止される係止片８５が固定板７３側に折り曲げ形成されている。板バネ７２は、固定板７３に係止されることにより、固定板７３を介して可動シャーシ５４と接続され、カメラユニット６の回転によっても回転されない。したがって、カメラユニット６とともに回転されるクリック板７１のクリック孔８２を突部８４が係止されることにより、カメラユニット６の回転角度に応じてクリック感を与えることができる。
【００３６】
板バネ７２が係止される固定板７３は、中央部に支持ピン７６の挿通孔７７が形成された円形の金属板の一部より可動シャーシ５４側に接続片８６が延設されている。固定板７３は、略円形の外周部に、板バネ７２より突出された係止片８５が係止される係止溝８７が形成されている。また、固定板７３は、接続片８６が可動シャーシ５４にネジ止めされることにより固定されている。この接続片８６にはカメラユニット６の回転角度を検出し、装置本体２の操作モードを変換する検出スイッチ部材７５が接続されている。
【００３７】
この検出スイッチ部材７５のスイッチ操作を行う操作カム部材７４は、中央に支持ピン７６が挿通される挿通孔８８が形成された略円筒形をなし、該挿通孔８８の一端側及び他端側に外周方向の所定範囲に亘って第１のカム８９と第２のカム９０とが設けられている。第１、第２のカム８９，９０は、それぞれ検出スイッチ部材７５に形成された第１のスイッチ９１と第２のスイッチ９２に対応し、操作カム部材７４がカメラユニット６の回転にともなって回転されると、回転角に応じて検出スイッチ部材７５の第１、第２のスイッチ９１，９２を押圧して操作モードの変換を実行させる。これら第１、第２のカム８９，９０は、外周方向における形成範囲を調整することによって、検出スイッチ部材７５の操作タイミングを調整することができる。また、操作カム部材７４は、カメラユニット６側が上記固定板７３及び板バネ７２の各挿通孔内を挿通してクリック板７１に係合されている。したがって操作カム部材７４は、カメラユニット６のユニット本体６１が回転操作されると、クリック板７１とともに回転される。
【００３８】
ユニット本体６１を回転可能に支持する支持ピン７６は、クリック板７１、板バネ７２、固定板７３、操作カム部材７４に形成された挿通孔を挿通し、ユニット本体６１の右側面６６に形成された挿通孔６６ａに挿通する。この支持ピン７６は、例えば周囲にネジ山が切れられたセルフタップが用いられる。なお、ユニット本体６１の左側面６５にも、中央に挿通孔が形成された円盤状の化粧板９３が支持ピン９４によって接続されている。
【００３９】
この回転支持機構５０に支持されたカメラユニット６を保護するカバー部材５１は、カメラユニット６のユニット本体６１及びユニット本体６１内に設けられた撮像レンズ６２を保護するものであり、断面略Ｕ字状に形成された金属板の底部中央を方形状に切り欠かれた形状をなし、この切欠き部は切り欠きの開放端側よりユニット本体６１が周回り方向に回転操作可能に配設される配設部９５とされる。この配設部９５は、ユニット本体６１の幅よりもやや大きな幅を有しユニット本体６１の外周面を所定の回転角に亘って外方に臨ます第１の開口部９７と、配設部９５に配設されたユニット本体６１の左右両側面６５，６６を支持する回転支持機構５０が組み付けられる第２の開口部９８とを有する。
【００４０】
また、配設部９５の開放端と反対側には、配設部９５に配設されたユニット本体６１がカバー部材５１の内方へ落ち込むことを防止するとともに不使用時における撮像レンズ６２をカバー部材５１の内方へ臨ませて保護する開口支持部９６とが形成されている。この開口支持部９６は、ユニット本体６１の径よりも短い幅を有し、ユニット本体６１の外周部の下部を開口支持部９６からカバー部材５１の内方に入り込ませるとともに、ユニット本体６１が操作者によって下方に押圧されたときユニット本体６１の外周に当接し、カバー部材５１の内方に落ち込むことを防止する。
【００４１】
この開口支持部９６に支持されることにより、配設部９５に配設されたユニット本体６１は、回転操作される際に第１の開口部９７より臨む外周部を押圧されたときにも、カバー部材５１の内方へ落ち込む事態が防止される。また、ユニット本体６１は、カメラユニット６の不使用時には撮像レンズ６２を開口支持部９６よりカバー部材５１の内方へ回転させることにより、撮像レンズ６２を外方へ露出させることなく、塵埃等の付着やレンズ表面へのキズ等から保護することができる。
【００４２】
なお、配設部９５はユニット本体６１の左右両側面６５，６６の外側にアーチ部９９，１００が架け渡されている。これらアーチ部９９，１００により、ユニット本体６１は、左右両側面を支持する回転支持機構５０がアーチ部９９，１００の下方に位置され、カバー部材５１の上方への抜け止めも図られている。
【００４３】
回転支持機構５０の固定板７３の接続片８６と接続される可動シャーシ５４には、装置本体２側に組み付けられたシャーシ２１に支持された摺動板３０と、この摺動板３０及び連結板３４に接続された液晶モニタ７と、液晶モニタ７を保護する液晶保護カバー５２と、カメラユニット６及び液晶モニタ７の駆動回路等が形成された配線基板５５と、可動ブロック３の背面側を覆う化粧板５６が接続されている。また液晶モニタ７にはモニタ部を保護するカバーガラス５３が貼着されている。
【００４４】
以上のように構成される可動ブロック３は、液晶モニタ７と接続された摺動板３０が、シャーシ２１のスライドガイド溝２５をスライドすることにより、図１に示す装置本体２内の収納位置と、図２に示す装置本体２の上方の突出位置とに亘って移動される。そして、記録再生装置１は、可動ブロック３が図１に示す収納位置にあるときは、通常の音声録音や再生操作が行われる。このとき装置本体２の主面部２ａには、図１０（ａ）に示すように、切欠き部１８より液晶モニタ７の上縁部７ａが臨まされている。液晶モニタ７の上縁部７ａには、録音又は再生時間やメモリ残量等の録音や再生に必要な情報が表示される。
【００４５】
また、上述したように、可動ブロック３と係合されたシャーシ２１のスライドガイド溝２５は、装置本体２の長手方向に亘って装置本体２の主面部２ａから背面部２ｄ側に湾曲する円弧状に形成され、係るスライドガイド溝２５を摺動板３０がスライドすることにより、この摺動板３０と接続された可動ブロック３も主面部２ａから背面部２ｄ側にかけて円弧状に回動されながらスライドされる。具体的に、このスライドガイド溝２５は、可動ブロック３が図１１に示す装置本体２内の収納位置にスライドされるときに、可動ブロック３の回動支点が背面２ｄ側にやや移動するような円弧状に形成されている。したがって、可動ブロック３は、装置本体２の収納位置にスライドされると、装置本体２の主面部２ａから背面部２ｄにかけて深く傾斜するため、可動ブロック３の液晶モニタ７と装置本体２の主面部２ａを構成する上ハーフ１０との間にスペースを形成することができる。そして、本発明が適用された記録再生装置１は、この可動ブロック３の液晶モニタ７と装置本体２の上ハーフ１０との間に設けたスペースに、録音を開始する録音釦８ａやカメラユニット６を操作するシャッタ釦８ｂ及びこれらを駆動させる回路が形成された配線基板を配設することができる。
【００４６】
そして、音声録音中等に当該録音中の音声情報に関する画像情報を取り込む場合には、可動ブロック３が図２及び図１２に示す突出位置に回動され、装置本体２の主面部２ａに液晶モニタ７の全体が現れる。ユーザは、液晶モニタ７に表示される撮像レンズ６２に取り込まれた画像を見ながらカバー部材５１の第１の開口部９７よりカメラユニット６のユニット本体６１を回転操作してアングル調整を行ったのち、撮像を行う。
【００４７】
このとき、記録再生装置１は、可動ブロック３が、図２及び図１２に示す装置本体２の上方の突出位置に回動された場合に、液晶モニタ７近傍にシャッタ釦８ｂが位置されているため、ユーザは装置本体２を把持した手の親指を用いて可動ブロック３を上方にスライドさせユニット本体６１を回転操作するとともに、この親指を素早くシャッタ釦８ｂに位置させることができ、液晶モニタ７によって撮像画面を確認しながらシャッタ釦８ｂをも確認でき素早いシャッタ操作を行うことができる。
【００４８】
また液晶モニタ７は、図１０（ｂ）に示すように、可動ブロック３が装置本体２内に収納されていたときに上縁部７ａに表示されていた音声情報の録音や再生等に必要な情報が、下縁部７ｂに移動し表示され、主に撮像用のモニタとして使用可能となる。すなわち、記録再生装置１は、可動ブロック３が装置本体２内の収納位置にスライドされ、液晶モニタ７の一部のみが現れている場合には、録音機能のみが用いられることから、これに必要な情報を液晶モニタ７の必要最小限の表示領域に表示し、可動ブロック３が装置本体２の上方の突出位置にスライドされ、液晶モニタ７の全体が現れると録音機能に加えて撮像機能をも用いられることから、これに連動して該液晶モニタ７の表示内容を音声録音及び音声再生に適した情報から映像撮影、映像再生に適した情報を、最適な表示領域に表示させる。したがって、記録再生装置１は、録音機能に加えて撮像機能をも有し、かかる多機能化に応じて装置本体２の形態が変化すると、これに連動して、当該機能に最適な表示領域に最適な情報を表示させることができ、表示切り換え釦等の設置、操作等を行う必要がなく操作性、利便性を向上させることができる。
【００４９】
具体的には、文字情報が液晶モニタ７の上縁部７ａから下縁部７ｂに移動するとともに、モニタ全体には撮像レンズ６２に取り込まれた映像が表示される。また、操作釦群４を操作することによって文字情報を消去させることもできる。その後、記録再生装置１は、主面部２ａの液晶モニタ７の下方に設けられたシャッタ釦８ｂ等の操作部が操作されて、画像情報を撮像する。撮像された画像情報は、音声情報を再生する際に液晶モニタ７に一覧表示されるインデックスとして用いられ、ユーザは簡単に撮像時の音声情報を選択、再生することができ、また当該音声を録音したときの話者やその周囲の状況を確認することができる。
【００５０】
また記録再生装置１は、カメラユニット６のユニット本体６１が回転されると、この回転角度に応じて回転支持機構５０がユーザにクリック感を与えるとともに、回転角度に応じた操作モードの変更を行う。具体的に、記録再生装置１は、図１３（ａ）及び図１４（ａ）に示すユニット本体６１内に設けられた撮像レンズ６２がカバー部材５１の真下に向けられた基準位置（回転角度０°）にあるホールドオンポジションと、図１３（ｂ）及び図１４（ｂ）に示す撮像レンズ６２が基準位置から回転されるがカバー部材５１の開口支持部９６からは現れていない位置（例えば回転角度２４°）にあるホールドオフポジションと、図１３（ｃ）及び図１４（ｃ）に示す撮像レンズ６２がカバー部材５１の開口支持部９６から外方に臨まされた位置（例えば回転角度７０°）にあるカメラオンポジションと、図１３（ｄ）及び図１４（ｄ）に示す撮像レンズ６２が略正面に向けられた位置（例えば回転角度９５°）にあるホームポジションと、図１３（ｅ）及び図１４（ｅ）に示す撮像レンズ６２が操作者側に回転された位置（例えば回転角度２２０°）にある反転ポジションと、図１３（ｆ）及び図１４（ｆ）に示すユニット本体６１の回転限界となる位置（例えば回転角度２７０°）にあるストップポジションとの各ポジションに応じて操作モードの変更を行う。
【００５１】
ユニット本体６１とともに回転される回転支持機構５０のクリック板７１は、上述したように固定板７３に係止され回転が規制されている板バネ７２に突設された突部８４に乗り越えられるクリック孔８２が複数形成されている。このクリック孔８２は、図１４（ａ）に示すように、ユニット本体６１がホールドオンポジションに回転されたときに、板バネ７２の突部８４が係止される位置に形成された第１のクリック孔８２ａと、図１４（ｂ）に示すように、ユニット本体６１がホールドオフポジションに回転されたときに、板バネ７２の突部８４が係止される位置に形成された第２のクリック孔８２ｂと、図１４（ｄ）に示すように、ユニット本体６１がホームポジションに回転されたときに、板バネ７２の突部８４が係止される位置に形成された第３のクリック孔８２ｃと、図１４（ｆ）に示すように、ユニット本体６１がストップポジションに回転されたときに、板バネ７２の突部８４が係止される位置に形成された第４のクリック孔８２ｄとを備える。
【００５２】
ユーザは第１〜第４のクリック孔８２ａ〜８２ｄが突部８４に係止されることによりクリック感を得ることができ、ユニット本体６１がホールドオンポジション、ホールドオフポジション、ホームポジション及びストップポジションに回転されたことがわかる。
【００５３】
また、クリック板７１は、ホールドオンポジション及びホールドオフポジションに対応した第１、第２のクリック孔８２ａ，８２ｂが、ホームポジション及びストップポジションに対応した第３、第４のクリック孔８２ｃ，８２ｄよりも大径に形成されている。これにより、クリック板７１は、ユニット本体６１がホールドオンポジション及びホールドオフポジションに回転されたときには、ホームポジション及びストップポジションに回転されたときに比して大きなクリック感を与えることができ、ユーザに対してより確実にユニット本体６１がホールドオンポジション及びホールドオフポジションまで回転されたことを認識させることができる。
【００５４】
次いで、ユニット本体６１が各ポジションに回転されたときの操作モードの変更について説明する。ホールドオンポジションでは、装置本体２の操作釦群４の操作が無効とされ、誤操作が防止される。また、録音や再生時にユニット本体６１をホールドオンポジションに回転させると、録音や再生をし続ける。ホールドオフポジションでは、装置本体２の操作釦群４の内、シャッタ釦８ｂ以外が有効とされ、音声情報の録音や再生を行うことができる。カメラオンポジションからホームポジションにかけては撮像レンズ６２がカバー部材５１の第１の開口部９７から外方に臨まされ、液晶モニタ７に撮像レンズ６２に取り込まれた画像が表示されると共にシャッタ釦８ｂを含めて全ての操作釦群４の操作が有効とされる。反転ポジションからストップポジションにかけては、操作者側に撮像レンズ６２が回転されることから、液晶モニタ７に表示される画像を反転させて、操作者から見たときに上下が逆さまに表示されることを防止する。
【００５５】
このようなユニット本体６１にクリック感を与え操作モードの変換を行う装置本体２は、ユニット本体６１と共に回転される操作カム部材７４によって固定板７３に接続された操作スイッチ部材７５の第１、第２のスイッチ９１，９２の押圧操作を行い、図１５及び図１６に示すように、第１、第２のスイッチ９１，９２の押圧状況をマイクロコンピュータにより検出することによって操作モードを変更する。具体的には、図１７（ａ）及び図１８（ａ）に示すように、ユニット本体６１がホールドオンポジションに回転されたとき、検出スイッチ部材７５は、操作カム部材７４の第１、第２のカム８９、９０がいずれも、第１、第２のスイッチ９１、９２に当接されずＯＰＥＮとされる。装置本体２は、検出スイッチ部材７５の第１、第２のスイッチ９１、９２がいずれもＯＰＥＮであることから、ユニット本体６１がホールドオンポジションに位置されていることを検出し、操作釦群４の操作を無効にさせる。
【００５６】
次いで、図１７（ｂ）及び図１８（ｂ）に示すように、ユニット本体６１が図１３中矢印Ｒ方向へ回転されホールドオフポジションとされると、検出スイッチ部材７５は、操作カム部材７４の第１のカム８９が第１のスイッチ９１と当接されてＣＬＯＳＥとなり、第２のカム９０が第２のスイッチ９２と当接されずＯＰＥＮとなる。装置本体２は、検出スイッチ部材７５の第１のスイッチ９１がＣＬＯＳＥ、第２のスイッチ９２がＯＰＥＮであることから、ユニット本体６１がホールドオフポジションに位置されていることを検出し、操作釦群４のシャッタ釦８ｂ以外の操作を有効とする。
【００５７】
次いで、図１７（ｃ）（ｄ）及び図１８（ｃ）（ｄ）に示すように、ユニット本体６１が図１３中矢印Ｒ方向へ回転されカメラオンポジションから反転ポジションの直前までの領域にに位置されると、操作カム部材７４の第１、第２ののカム８９，９０が第１、第２のスイッチ９１，９２と当接されいずれもＣＬＯＳＥとなる。装置本体２は、検出スイッチ部材７５の第１、第２のスイッチ９１，９２のいずれもがＣＬＯＳＥとされていることから、ユニット本体６１がカメラオンポジションから反転ポジションの直前までの領域に回転されていることを検出し、液晶モニタ７に撮像レンズ６２に取り込まれた画像を正転表示すると共にシャッタ釦８ｂを含めて全ての操作釦群４の操作を有効とする。
【００５８】
次いで、図１７（ｅ）及び図１８（ｅ）に示すように、ユニット本体６１が図１３中矢印Ｒ方向へ回転され反転ポジションとされると、検出スイッチ部材７５は、操作カム部材７４の第１のカム８９が第１のスイッチ９１と当接されずＯＰＥＮとなり、第２のカム９０が第２のスイッチ９２と当接されＣＬＯＳＥとなる。装置本体２は検出スイッチ部材７５の第１のスイッチ９１がＯＰＥＮ、第２のスイッチ９２がＣＬＯＳＥであることから、ユニット本体６１が反転ポジションまで回転されたことを検出し、液晶モニタ７に表示される画像を反転させて、操作者から見たときに上下が逆さまに表示されることを防止する。
【００５９】
次いで、図１７（ｆ）及び図１８（ｆ）に示すように、ユニット本体６１が図１３中矢印Ｒ方向へ回転されストップポジションとされたときにも、検出スイッチ部材７５は、操作カム部材７４の第１のカム８９が第１のスイッチ９１と当接されずＯＰＥＮの状態が維持され、第２のカム９０が第２のスイッチ９２と当接されＣＬＯＳＥの状態が維持される。なお、このとき、第４のクリック孔８２ｄに突部８４が係止するとともに、詳細を省略するストッパ機構によってユニット本体６１の図１３中矢印Ｒ方向への回転が規制される。
【００６０】
その後、ユニット本体６１が図１３中反矢印Ｒ方向へ回転されカメラオンポジションを越えてホールドオフポジションまで戻されると、ホールドオンポジションから略４０°程度の位置でカメラユニット６の動作が停止され、液晶モニタ７より映像が消える。
【００６１】
このように、記録再生装置１では、ユニット本体６１に形成された撮像レンズ６２の回転操作と連動して装置本体２の操作モードが変更されるため、操作者による操作モード変換の誤操作を防止することができる。また、ユニット本体６１の回転角度に適した装置本体２の撮影モードされることにより、ユニット本体６１の操作を感覚的に行うことができる。
【００６２】
以下にこのような記録再生装置１の組み立て工程について説明する。先ず、可動ブロック３の可動シャーシ５４に液晶モニタ７及び配線基板５５を接続する。また、カバー部材５１には第１の開口部９７側から配設部９５にカメラユニット６のユニット本体６１が挿入され、次いで、第２の開口部９８側から回転支持部材５０が組み付けられる。
【００６３】
また、シャーシ２１に摺動板３０がスライド可能に係合されると共に、この摺動板３０に液晶モニタ７が取り付けられる。液晶モニタ７にはカバーガラス５３が貼着される。そして、可動シャーシ５４に、シャーシ２１に係合された摺動板３０に接続された液晶モニタ７と、液晶保護カバー５２と、配線基板５５と、化粧板５６と取り付け、次いで、回転支持部材５０の固定板７３と可動シャーシ５４とを接続する。
【００６４】
次いで、可動シャーシ５４をスライド自在に支持するシャーシ２１をメインフレーム１４に接続する。なお、メインフレーム１４は、予め音声情報が入力されるマイク等が実装された配線基板群１３が接続されている。その後、装置本体２を構成する上下ハーフ１０，１１及び外装フレーム１２で、メインフレーム１４を囲むように接続し記録再生装置１が完成される。
【００６５】
このように記録再生装置１は、カバー部材５１の第１の開口部９７側から配設部９５にカメラユニット６のユニット本体６１が挿入され、次いで、第２の開口部９８側から回転支持部材５０が組み付けられる。このように、記録再生装置１は、ユニット本体６１の径よりも小径の開口支持部９６が形成されたカバー部材５１の先端側である第１の開口部９７側からユニット本体６１が組み込まれ、回転支持機構５０によってユニット本体６１の抜け止めが図られる。したがって、装置本体２は、上下ハーフ１０，１１の組み付け工程とは別にカメラユニット６を可動ブロック３に組み付けることができ、カメラユニット６の脱落を防止するとともに製作、設計上の自由度を増すことができ、利便性を向上させることができる。
【００６６】
なお、本発明が適用された記録再生装置１においては、上記ホールドオンポジション、ホールドオフポジション、カメラオンポジション、ホームポジション、反転ポジション、及びストップポジションとなるカメラユニット６のユニット本体６１の回転角度は例示であり、適宜変更して用いることができる。
【図面の簡単な説明】
【００６７】
【図１】本発明が適用された記録再生装置の可動部が収納された状態を示す斜視図である。
【図２】本発明が適用された記録再生装置の可動部が突出された状態を示す斜視図である。
【図３】本発明が適用された記録再生装置の分解斜視図である。
【図４】本発明が適用された記録再生装置の操作釦の一部を示す分解斜視図である。
【図５】シャーシ及び摺動板を示す斜視図である。
【図６】シャーシ及び摺動板を示す分解斜視図である。
【図７】可動ブロックを示す分解斜視図である。
【図８】カメラユニット及びカメラユニットを支持する回転支持機構を示す分解斜視図である。
【図９】カメラユニット及びカメラユニットを支持する回転支持機構を示す斜視図である。
【図１０】液晶モニタの表示領域を示す平面図である。
【図１１】可動部が収納された状態の記録再生装置の内部を示す斜視図である。
【図１２】可動部が突出された状態の記録再生装置の内部を示す斜視図である。
【図１３】カメラユニットの撮像レンズが回転操作される様子を示す断面図である。
【図１４】回転支持機構のクリック板及び板バネが撮像レンズと共に回転操作される様子を示す図である。
【図１５】第１、第２のスイッチの押圧状態と操作モードとの関係を示す図である。
【図１６】第１、第２のスイッチの押圧状態を検出するマイクロコンピュータの回路ブロック図である。
【図１７】操作カム部材の第１のカムが第１のスイッチを操作する様子を示す図である。
【図１８】操作カム部材の第２のカムが第１２のスイッチを操作する様子を示す図である。
【符号の説明】
【００６８】
１  記録再生装置、２  装置本体、３  可動ブロック、４  操作釦群、５  ヘッドホンジャック、６  カメラユニット、７  液晶モニタ、８ａ  録音釦、８ｂ  シャッタ釦、９ａ  多方向性スイッチ、１０  上ハーフ、１１  下ハーフ、１２  外装フレーム、１４  メインフレーム、２０  ストラップ用開口部、２１  シャーシ、２５  スライドガイド溝、２６  コロ、３０  摺動板、３１  スライドガイド溝、３２  コロ、３４  連結板、５０  回転支持機構、５１  カバー部材、５２  液晶保護カバー、５３  カバーガラス、５４  可動シャーシ、５５  配線基板、５６  化粧板、６１  ユニット本体、６２  撮像レンズ、７１  クリック板、７２  板バネ、７３  固定板、７４  操作カム部材、７５  検出スイッチ部材、７６  支持ピン、８２  クリック孔、８９  第１のカム、９０  第２のカム、９１  第１のスイッチ、９２  第２のスイッチ、９６  開口支持部、１０１  ステム、１０２  ハウジング、１０３  キートップ
【図１】
2006074262.tif 000003
【図２】
2006074262.tif 000004
【図３】
2006074262.tif 000005
【図４】
2006074262.tif 000006
【図５】
2006074262.tif 000007
【図６】
2006074262.tif 000008
【図７】
2006074262.tif 000009
【図８】
2006074262.tif 000010
【図９】
2006074262.tif 000011
【図１０】
2006074262.tif 000012
【図１１】
2006074262.tif 000013
【図１２】
2006074262.tif 000014
【図１３】
2006074262.tif 000015
【図１４】
2006074262.tif 000016
【図１５】
2006074262.tif 000017
【図１６】
2006074262.tif 000018
【図１７】
2006074262.tif 000019
【図１８】
2006074262.tif 000020
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
略矩形状に形成された装置本体と、
音声情報が入力される入力部と、
録音された音声情報を出力する出力部と、
撮像レンズ及び撮像素子を有し、画像情報を取り込む撮像部と、
上記装置本体の長手方向に沿ってスライド可能に設けられ、各種情報を表示するモニタと、
上記装置本体の長手方向に沿って形成され上記モニタをスライド可能に係合するガイド溝と、該ガイド溝に係合された上記モニタのスライド位置に応じて該モニタを上記装置本体の長手方向の一端側又は他端側に付勢する付勢部材とを有する回動支持部材とを備え、
上記モニタは、上記装置本体の内側にスライドされると上記モニタの一部が上記装置本体より外部に臨まされて当該一部領域に各種情報が表示され、上記装置本体の外側にスライドされると上記モニタの全領域が上記装置本体より外部に臨まされて当該全領域に各種情報が表示される記録再生装置。
【請求項２】
上記モニタは、上記装置本体の内側にスライドされると、該モニタの上縁部が外部に臨まされ、該上縁部に音声情報の録音や再生等に必要な情報が表示され、
上記装置本体の外側にスライドされると、全領域が外部に臨まされ、該全領域に撮像に必要な情報が表示されると共に、上記上縁部に表示されていた上記音声情報の録音や再生等に必要な情報が該モニタの下縁部に移動して表示され、撮像用モニタに切り換えられることを特徴とする請求項１記載の記録再生装置。